(57)【要約】      （修正有）【課題】使い勝手を向上させることが可能なトイレユニットを提供する。【解決手段】トイレユニット１は、トイレ室ＴＲの側壁面から突出して設けられるライニング１０に取り付けられる便器１４と、ライニング１０に取り付けられ、便器１４の横に位置し、乳幼児が座るための乳幼児用いす３０と、を備えている。ライニング１０と便器１４の前端との間の距離は、ライニング１０と乳幼児用いす３０の前端との間の距離よりも長いことがより好ましい。【選択図】図１
2018009404.tif 000002
【特許請求の範囲】
【請求項１】
トイレ室の側壁面から突出して設けられるライニングに取り付けられる便器と、
前記ライニングに取り付けられ、前記便器の横に位置し、乳幼児が座るための乳幼児用いすと、
を備えたことを特徴とするトイレユニット。
【請求項２】
前記ライニングと前記便器の前端との間の距離は、前記ライニングと前記乳幼児用いすの前端との間の距離よりも長いことを特徴とする請求項１記載のトイレユニット。
【請求項３】
前記乳幼児用いすの座面は、前記便器の座面よりも高い位置にあることを特徴とする請求項１または２に記載のトイレユニット。
【請求項４】
前記乳幼児用いすの前記便器とは反対の側において、前記乳幼児用いすの横に設けられる汚物流しユニットと、
前記乳幼児用いすと前記汚物流しユニットとの間に設けられる衝立と、
をさらに備えたことを特徴とする請求項１〜３のいずれか１つに記載のトイレユニット。
【請求項５】
前記汚物流しユニットは、上方に向けて開口したボウル部を有し、
前記衝立は、
前記ボウル部の開口端の横に設けられる第１衝立部と、
前記第１衝立部の上に設けられ、前端が前記第１衝立部の前端よりも前記ライニングに向けて後退した第２衝立部と、
を有することを特徴とする請求項４記載のトイレユニット。
【請求項６】
前記衝立の前端は、前記第１衝立部の前記前端と前記第２衝立部の前記前端との間において、前記ライニングに向けて傾斜していることを特徴とする請求項５記載のトイレユニット。
【請求項７】
前記ライニングと前記衝立の前端との間の距離は、前記ライニングと前記乳幼児用いすの前端との間の距離以上であり、前記ライニングと前記汚物流しユニットの前端との間の距離以下であることを特徴とする請求項５記載のトイレユニット。
【請求項８】
前記乳幼児用いすの前記便器とは反対の側において、前記乳幼児用いすの横に設けられる幼児用小便器と、
前記乳幼児用いすと前記幼児用小便器との間に設けられる衝立と、
をさらに備えたことを特徴とする請求項１〜３のいずれか１つに記載のトイレユニット。
【請求項９】
前記衝立の上端は、前方に向かって、下方に傾斜していることを特徴とする請求項８記載のトイレユニット。
【請求項１０】
前記ライニングに取り付けられ、前記乳幼児用いすの下方に位置し、前記ライニングに沿わせて収納可能に構成された着替え台をさらに備えたことを特徴とする請求項１〜９のいずれか１つに記載のトイレユニット。
【請求項１１】
前記ライニングに取り付けられ、前記便器と前記乳幼児用いすとの間に位置する手すりをさらに備え、
前記手すりは、前記乳幼児用いすと同じ高さか、それよりも下方にあることを特徴とする請求項１０記載のトイレユニット。
【請求項１２】
前記手すりは、
水平方向に延びる第１把持部と、
水平方向に延び、前記第１把持部の下方に設けられる第２把持部と、
を有し、
前記第２把持部は、前記乳幼児用いすの座面よりも下方にあり、かつ前記便器の座面よりも上方にあることを特徴とする請求項１１記載のトイレユニット。
【発明の詳細な説明】
【技術分野】
【０００１】
本発明の態様は、一般的に、トイレユニットに関する。
【背景技術】
【０００２】
特許文献１には、車椅子の使用者、人工肛門や人工膀胱などの保持者（オストメイト）などが利用し易いように構成された多機能トイレが開示されている。このような多機能トイレには、乳幼児を座らせるための乳幼児用いすが設けられたものもある。
【先行技術文献】
【特許文献】
【０００３】
【特許文献１】特開２０１３−２４１７５４号公報
【発明の概要】
【発明が解決しようとする課題】
【０００４】
従来の多機能トイレでは、乳幼児用いすが便器から離れた位置に設けられていた。このため、乳幼児用いすに座った乳幼児が不安を感じ、ぐずってしまう場合があった。また、乳幼児用いすに座った乳幼児の不測の動作に対して、便器に座った保護者がすぐに対応することが容易ではなかった。
【０００５】
このように、従来の多機能トイレは、乳幼児を連れた使用者に対する使い勝手について、未だ改善の余地があった。本発明は、かかる課題の認識に基づいてなされたものであり、使い勝手を向上させることが可能なトイレユニットを提供することを目的とする。
【課題を解決するための手段】
【０００６】
第１の発明は、トイレ室の側壁面から突出して設けられるライニングに取り付けられる便器と、前記ライニングに取り付けられ、前記便器の横に位置し、乳幼児が座るための乳幼児用いすと、を備えたことを特徴とするトイレユニットである。
【０００７】
このトイレユニットによれば、乳幼児用いすに座った乳幼児が安心感を覚えやすく、かつ乳幼児の不測の動作に対して保護者がすぐに対応することができる。また、ビーチェアはライニングに取り付けられているため、車椅子に乗った人が便器を使用する際に、乳幼児用いすが車椅子のフットペダル等に当たりにくく、妨げとなり難い。従って、このトイレユニットによれば、車椅子の使用者に対する使い勝手の低下を抑えつつ、乳幼児を連れた使用者に対する使い勝手を向上させることが可能となる。
【０００８】
第２の発明は、第１の発明において、前記ライニングと前記便器の前端との間の距離は、前記ライニングと前記乳幼児用いすの前端との間の距離よりも長いことを特徴とするトイレユニットである。
【０００９】
このトイレユニットによれば、便器に座った保護者が、乳幼児用いすに座った乳幼児の視界に入りやすくなり、乳幼児がより一層安心感を覚えやすくなるとともに、車椅子に乗った人が便器を使用する際に、乳幼児用いすがより妨げになり難くなり、使い勝手をさらに向上させることが可能となる。
【００１０】
第３の発明は、第１または第２の発明において、前記乳幼児用いすの座面は、前記便器の座面よりも高い位置にあることを特徴とするトイレユニットである。
【００１１】
このトイレユニットによれば、乳幼児用いすに座った乳幼児と、便器に座った保護者の肩と、の間の距離が短くなるため、保護者の手が乳幼児に届きやすくなり、使い勝手をさらに向上させることができる。
【００１２】
第４の発明は、第１〜第３のいずれかの発明において、前記乳幼児用いすの前記便器とは反対の側において、前記乳幼児用いすの横に設けられる汚物流しユニットと、前記乳幼児用いすと前記汚物流しユニットとの間に設けられる衝立と、をさらに備えたことを特徴とするトイレユニットである。
【００１３】
このトイレユニットによれば、汚物流しユニットを使用した際に、水はね等が乳幼児用いすへ付着することを抑制できる。
【００１４】
第５の発明は、第４の発明において、前記汚物流しユニットは、上方に向けて開口したボウル部を有し、前記衝立は、前記ボウル部の開口端の横に設けられる第１衝立部と、  前記第１衝立部の上に設けられ、前端が前記第１衝立部の前端よりも前記ライニングに向けて後退した第２衝立部と、を有することを特徴とするトイレユニットである。
【００１５】
このトイレユニットによれば、汚物流しユニットから跳ねた水の付着を第１衝立部によって抑制するとともに、乳幼児用いすに乳幼児を座らせる際に、保護者の肘が衝立に当たり難くなり、トイレユニットの使い勝手を向上させることができる。また、第２衝立部によって乳幼児から汚物流しユニットが見え難くなるため、乳幼児が汚物流しユニットに興味を惹かれて身を乗り出すといった動作を取る可能性を低減し、トイレユニットの安全性を向上させることができる。
【００１６】
第６の発明は、第５の発明において、前記衝立の前端は、前記第１衝立部の前記前端と前記第２衝立部の前記前端との間において、前記ライニングに向けて傾斜していることを特徴とするトイレユニットである。
【００１７】
このトイレユニットによれば、乳幼児が、段差に手を掛けて力を加え難くなるため、ぶら下がったり、身を乗り出したりする可能性を低減することができ、安全性をさらに向上させることができる。
【００１８】
第７の発明は、第５の発明において、前記ライニングと前記衝立の前端との間の距離は、前記ライニングと前記乳幼児用いすの前端との間の距離以上であり、前記ライニングと前記汚物流しユニットの前端との間の距離以下であることを特徴とするトイレユニットである。
【００１９】
第８の発明は、第１〜第３のいずれかの発明において、前記乳幼児用いすの前記便器とは反対の側において、前記乳幼児用いすの横に設けられる幼児用小便器と、前記乳幼児用いすと前記幼児用小便器との間に設けられる衝立と、をさらに備えたことを特徴とするトイレユニットである。
【００２０】
このトイレユニットによれば、幼児用小便器を使用した際に、小便や水はね等が乳幼児用いすへ付着することを抑制できる。
【００２１】
第９の発明は、第８の発明において、前記衝立の上端は、前方に向かって、下方に傾斜していることを特徴とするトイレユニットである。
【００２２】
このトイレユニットによれば、乳幼児が、衝立の上端に手を掛けて力を加え難くなるため、ぶら下がったりする可能性を低減することができ、安全性をさらに向上させることができる。
【００２３】
第１０の発明は、第１〜第９のいずれかの発明において、前記ライニングに取り付けられ、前記乳幼児用いすの下方に位置し、前記ライニングに沿わせて収納可能に構成された着替え台をさらに備えたことを特徴とするトイレユニットである。
【００２４】
このトイレユニットによれば、乳幼児用いす下方の空いた空間に着替え台が設けられるため、トイレユニットの配設に必要なスペースの増大を抑えつつ、機能をより充実させることができる。また、着替え台をライニングに沿わせて収納可能に構成することで、着替え台を乳幼児用いすの下方に設けた場合であっても、車椅子の移動の妨げになり難く、車椅子の使用者に対する使い勝手の低下を抑えることができる。
【００２５】
第１１の発明は、第１０の発明において、前記ライニングに取り付けられ、前記便器と前記乳幼児用いすとの間に位置する手すりをさらに備え、前記手すりは、前記乳幼児用いすと同じ高さか、それよりも下方にあることを特徴とするトイレユニットである。
【００２６】
このトイレユニットによれば、便器に座った保護者が、乳幼児用いすに座った乳幼児に手を伸ばした際に、手すりが邪魔になり難く、トイレユニットの使い勝手をさらに向上させることができる。
【００２７】
第１２の発明は、第１１の発明において、前記手すりは、水平方向に延びる第１把持部と、水平方向に延び、前記第１把持部の下方に設けられる第２把持部と、を有し、前記第２把持部は、前記乳幼児用いすの座面よりも下方にあり、かつ前記便器の座面よりも上方にあることを特徴とするトイレユニットである。
【００２８】
このトイレユニットによれば、着替え台の上に立った幼児が、その身長に応じて第１把持部または第２把持部を掴むことができ、安定して着替え台の上に立つことができる。このため、トイレユニットの使い勝手をさらに向上させることができる。
【発明の効果】
【００２９】
本発明の態様によれば、使い勝手を向上させることが可能なトイレユニットが提供される。
【図面の簡単な説明】
【００３０】
【図１】第１実施形態に係るトイレユニットを表す平面図である。
【図２】第１実施形態に係るトイレユニットを表す平面図である。
【図３】第１実施形態に係るトイレユニットの一部を表す斜視図である。
【図４】第１実施形態に係るトイレユニットの一部を表す側面図である。
【図５】第１実施形態に係るトイレユニットの一部を表す斜視図である。
【図６】第１実施形態に係るトイレユニットの一部を表す側面図である。
【図７】第１実施形態に係るトイレユニットの一部を表す平面図である。
【図８】第１実施形態の第１変形例に係るトイレユニットの一部を表す側面図である。
【図９】第１実施形態の第２変形例に係るトイレユニットの一部を表す側面図である。
【図１０】第２実施形態に係るトイレユニットの一部を表す斜視図である。
【図１１】第２実施形態に係るトイレユニットの一部を表す側面図である。
【発明を実施するための形態】
【００３１】
以下、本発明の実施形態について図面を参照しつつ説明する。なお、各図面中、同様の構成要素には同一の符号を付して詳細な説明は適宜省略する。
【００３２】
（第１実施形態）
図１および図２は、第１実施形態に係るトイレユニット１を表す平面図である。
図３は、第１実施形態に係るトイレユニット１の一部を表す斜視図である。
図４は、第１実施形態に係るトイレユニット１の一部を表す側面図である。
図５は、第１実施形態に係るトイレユニット１の一部を表す斜視図である。
図６は、第１実施形態に係るトイレユニット１の一部を表す側面図である。
図７は、第１実施形態に係るトイレユニット１の一部を表す平面図である。
なお、図１では、収納された状態の着替え台３４および大型ベッド３８が表され、図２では、開かれた状態の着替え台３４および大型ベッド３８が表されている。
【００３３】
図１〜図３に表すように、第１実施形態に係るトイレユニット１は、ライニング１０、ライニング１２、便器１４、洗浄ボタン１６、リモコン１８、呼び出しボタン２０、紙巻器（ペーパーホルダ）２２、ダストボックス２４、背もたれ２６、手すり２８、乳幼児用いす３０、手すり３２、着替え台３４、衝立３６、大型ベッド３８、手洗いユニット５０、洗面ユニット６０、および汚物流しユニット７０を有する。
【００３４】
本願明細書においては、発明の説明のために、「上方」、「下方」、「前方」、「後方」、「左側方」、および「右側方」を用いる。これらは、便器１４に着座した使用者からみた場合を基準とするものである。
【００３５】
トイレユニット１は、車椅子を使用する人や、乳幼児連れの人、人工肛門や人工膀胱などの保持者であるオストメイトなどが利用できるように構成された、いわゆる多機能トイレである。トイレユニット１は、例えば、２０００ｍｍ四方のトイレ室ＴＲ内に設けられる。
【００３６】
ライニング１０および１２は、トイレ室ＴＲの壁面から突出して設けられている。ライニング１０および１２は、フレームと板状部材とによって構成される。ライニング１０および１２は、一体に構成されていても良いし、別々の板状部材およびフレームから構成されていても良い。また、ライニング１０および１２のそれぞれが、複数の板状部材および複数のフレームを並設することで構成されていてもよい。ライニング１０および１２の内側には、例えば、トイレユニット１が備える構成要素に接続される水道配管や電気配線などが設けられる。
【００３７】
図１および図２に表すように、ライニング１０は、例えば、トイレ室ＴＲのドアＤＲと対向する位置に設けられ、ライニング１２は、ドアＤＲから見て側方に設けられている。ライニング１０は、図３に表すように、乳幼児用いす３０や汚物流しユニット７０が取り付けられた部分の高さが、便器１４が取り付けられた部分の高さよりも高く構成されている。
【００３８】
便器１４は、ライニング１０の壁面に取り付けられている。便器１４は、例えば、ライニング１０に固定され、下面がトイレ室ＴＲの床面から離間した、「壁掛け式」の水洗便器である。便器１４は、トイレ室ＴＲの床に載置された「床置き式」の水洗便器であってもよい。この場合、便器１４の配管等がライニング１０の壁面に取り付けられ、ライニング１０の内側に設けられた水道配管や電気配線と接続される。
【００３９】
便器１４の左側方に設けられたライニング１２の壁面には、便器１４の内側を洗浄するための洗浄ボタン１６と、便器１４が備える各機能を操作するためのリモコン１８と、非常時に用いられる呼び出しボタン２０と、が設けられている。
【００４０】
また、ライニング１２の壁面には、紙巻器２２およびダストボックス２４が設けられている。これら紙巻器２２およびダストボックス２４は、洗浄ボタン１６およびリモコン１８の下方に位置している。
【００４１】
背もたれ２６は、便器１４に着座した使用者が、背中をもたせることができるように、ライニング１０の壁面に設けられている。
【００４２】
手すり２８は、便器１４の左側方に設けられている。手すり２８は、例えばＬ字形をなし、トイレ室の壁面およびライニング１２の壁面に固定されている。
【００４３】
乳幼児用いす３０は、便器１４の横（右側方）に設けられている。乳幼児用いす３０は、ライニング１０の壁面に取り付けられ、トイレ室ＴＲの床面から離間して設けられている。
【００４４】
手すり３２は、ライニング１０の壁面に取り付けられ、便器１４と乳幼児用いす３０との間に位置している。すなわち、便器１４と乳幼児用いす３０とは、手すり３２を挟んで隣り合って設けられている。手すり３２は、例えば、上方に向けて回動可能な跳ね上げ式手すりである。または、手すり３２は、水平方向に回動可能な手すりであってもよい。
【００４５】
着替え台３４は、乳幼児用いす３０の下方に設けられている。着替え台３４は、図４に表すように、ライニング１０の壁面に固定された基部３４ａと、基部３４ａに対して回動可能に設けられた足載せ部３４ｂと、を有する。
【００４６】
使用者は、図２に表すように、足載せ部３４ｂを基部３４ａに対して回動させて開き、足載せ部３４ｂの上に載った状態で更衣等を行うことができる。また、未使用時には、図１および図３に表すように、足載せ部３４ｂをライニング１０の壁面に沿わせるように折り畳んで収納することができる。
【００４７】
大型ベッド３８は、例えば、ドアＤＲの近くに設けられている。大型ベッド３８は、図１および図２に表すように、折り畳んで収納できるように構成されている。使用者は、開かれた大型ベッド３８の上で更衣やおむつ交換等を行うことができる。
【００４８】
手洗いユニット５０は、図３に表すように、例えばライニング１２の上面に設けられている。手洗いユニット５０は、水栓５１およびボウル部５２を有する。手洗いユニット５０は、使用者が便座に座ったまま手を洗えるように、便器１４に近接して設けられている。
【００４９】
洗面ユニット６０は、例えば、水栓６１、ボウル部６２、液体石鹸供給器６３、および鏡６４を有する。水栓６１、ボウル部６２、および液体石鹸供給器６３は、ライニング１２の上面に設けられ、鏡６４は、これらの上方に設けられている。
【００５０】
汚物流しユニット７０は、例えば、水栓７１、ボウル部７２、液体石鹸供給器７３、鏡７４、レバー７５、紙巻器７６、および洗浄ボタン７７を有する。これらは、ライニング１０の壁面に取り付けられている。
【００５１】
ボウル部７２は、パウチに貯まった汚物の投入や、ストーマの洗浄などが容易となるように、開口が広く形成されている。水栓７１、液体石鹸供給器７３、鏡７４、およびレバー７５は、ボウル部７２の上方に設けられている。水栓７１および液体石鹸供給器７３は、手やパウチ、ストーマなどの洗浄に用いられる。レバー７５を引くことで、水栓７１から水が供給される。紙巻器７６は、洗浄後に、ストーマやパウチ等に付いている水をトイレットペーパーによって拭き取ることができるように、ボウル部７２の近傍に設けられている。
【００５２】
ボウル部７２の内側には、不図示の吐水口が設けられており、この吐水口は、水道配管や水タンクなどの給水源と接続されている。ボウル部７２において、汚物を流したりストーマの洗浄を行った後は、洗浄ボタン７７を押すことで、吐水口からボウル部７２に向けて水が供給され、ボウル部７２の内側が洗浄される。
【００５３】
衝立３６は、ライニング１０の壁面に取り付けられ、乳幼児用いす３０と汚物流しユニット７０との間に位置している。すなわち、乳幼児用いす３０と汚物流しユニット７０とは、衝立３６を挟んで隣り合って設けられている。
【００５４】
次に、図４を参照しつつ、便器１４、乳幼児用いす３０、手すり３２、および着替え台３４について、より具体的に説明する。
【００５５】
便器１４は、乳幼児用いす３０よりも、トイレ室ＴＲの内側に向けて張り出して設けられている。すなわち、便器１４および乳幼児用いす３０は、便器１４の前端とライニング１０の前面との間の距離Ｄ１が、乳幼児用いす３０の前端とライニング１０の前面との間の距離Ｄ２よりも長くなるように、設けられている。また、乳幼児用いす３０の座面３０ａは、便器１４の座面１４ａよりも高い位置に設けられている。
【００５６】
手すり３２は、水平方向に延びる第１把持部３２ａおよび第２把持部３２ｂと、これらの把持部を連結する連結部３２ｃと、を有する。第１把持部３２ａは、乳幼児用いす３０の座面３０ａとほぼ同じ高さに設けられている。第２把持部３２ｂは、第１把持部３２ａの下方に設けられており、乳幼児用いす３０の座面３０ａよりも低く、便器１４の座面１４ａよりも高い位置にある。
【００５７】
次に、図５〜図７を参照して、乳幼児用いす３０、衝立３６、および汚物流しユニット７０について、より具体的に説明する。
なお、図７では、汚物流しユニット７０のうちボウル部７２以外の構成要素が省略されている。
【００５８】
衝立３６は、第１衝立部３６ａと、第２衝立部３６ｂと、を有する。第１衝立部３６ａは、ボウル部７２の開口端の左側方、かつ乳幼児用いす３０の座面３０ａの右側方に位置している。第２衝立部３６ｂは、第１衝立部３６ａの上に設けられている。
【００５９】
第２衝立部３６ｂの前端は、第１衝立部３６ａの前端よりもライニング１０に向けて後退している。すなわち、第２衝立部３６ｂの前後方向における寸法は、第１衝立部３６ａの前後方向における寸法よりも短い。また、衝立３６の前端は、第１衝立部３６ａの前端と第２衝立部３６ｂの前端との間において、ライニング１０に向けて傾斜している。
【００６０】
ここで、図７に表すように、ライニング１０と乳幼児用いす３０の前端との間の前後方向における距離をＤ３、ライニング１０と衝立３６（第１衝立部３６ａ）の前端との間の前後方向における距離をＤ４、ライニング１０と汚物流しユニット７０（ボウル部７２）の前端との間の前後方向における距離をＤ５とする。このとき、乳幼児用いす３０、衝立３６、および汚物流しユニット７０は、距離Ｄ４が、距離Ｄ３以上であり距離Ｄ５以下となるように設けられる。
【００６１】
次に、本実施形態による作用および効果について説明する。
本実施形態に係るトイレユニット１では、乳幼児用いす３０が便器１４の横に設けられている。このため、便器１４に着座した保護者と乳幼児用いす３０に座った乳幼児との距離が近く、乳幼児が安心感を覚えやすい。また、乳幼児の不測の動作に対して保護者がすぐに対応することができる。
加えて、乳幼児用いす３０はライニング１０に取り付けられており、トイレ室ＴＲの床面から離間している。このため、乳幼児用いす３０が便器１４の横に設けられていても、車椅子に乗った人が便器１４を使用する際に、乳幼児用いす３０が車椅子のフットペダル等に当たりにくく、妨げとなり難い。
このため、本実施形態に係るトイレユニットによれば、車椅子の使用者に対する使い勝手の低下を抑えつつ、乳幼児を連れた使用者に対する使い勝手を向上させることが可能となる。
【００６２】
また、本実施形態に係るトイレユニット１において、便器１４の前端とライニング１０の前面との間の距離は、乳幼児用いす３０の前端とライニング１０の前面との間の距離よりも長く、便器１４の前端が乳幼児用いす３０よりもトイレ室ＴＲの内側に設けられていることが望ましい。
このような構成によれば、便器１４に座った保護者が、乳幼児用いす３０に座った乳幼児の視界に入りやすくなり、乳幼児がより一層安心感を覚えやすくなるとともに、車椅子に乗った人が便器１４を使用する際に、乳幼児用いす３０がより妨げになり難くなり、トイレユニット１の使い勝手をさらに向上させることが可能となる。
【００６３】
さらに、本実施形態に係るトイレユニット１では、乳幼児用いす３０の座面３０ａが、便器１４の座面１４ａよりも高い位置にある。
このような構成を採用することで、乳幼児用いす３０に座った乳幼児と、便器１４に座った保護者の肩と、の間の距離が短くなるため、保護者の手が乳幼児に届きやすくなり、トイレユニット１の使い勝手をさらに向上させることが可能となる。
【００６４】
また、本実施形態に係るトイレユニット１は、乳幼児用いす３０と汚物流しユニット７０との間に衝立３６が設けられている。このため、汚物流しユニット７０を使用した際に、水はね等が乳幼児用いす３０へ付着することを抑制できる。
【００６５】
この衝立３６は、図５および図６に表したように、ボウル部７２の開口端の横に設けられる第１衝立部３６ａと、第１衝立部３６ａの上に設けられる第２衝立部３６ｂと、を有し、第２衝立部３６ｂの前端は、第１衝立部３６ａの前端よりもライニング１０に向けて後退していることが望ましい。
このような構成によれば、汚物流しユニット７０から跳ねた水が乳幼児用いす３０に付着することを第１衝立部３６ａによって抑制するとともに、乳幼児用いす３０に乳幼児を座らせる際に保護者の肘が衝立３６に当たり難くなり、トイレユニット１の使い勝手を向上させることができる。
また、第１衝立部３６ａの上に第２衝立部３６ｂが設けられていることで、乳幼児用いす３０に座った乳幼児から汚物流しユニット７０の水栓７１やレバー７５が見え難くなる。このため、乳幼児用いす３０に座った乳幼児が、汚物流しユニット７０に興味を惹かれ難くなり、汚物流しユニット７０を操作するために身を乗り出すといった動作を取る可能性を低減し、トイレユニット１の安全性を向上させることができる。
【００６６】
第２衝立部３６ｂの前端が第１衝立部３６ａの前端よりも後退していると、これらの衝立部の前端同士の間には段差が生じる。衝立３６の前端に段差があると、乳幼児がこの段差に手を掛けてぶら下がったり、乳幼児用いす３０に座った乳幼児が段差に手を掛けて身を乗り出す可能性がある。
この点について、本実施形態に係るトイレユニット１では、衝立３６の前端が、第１衝立部３６ａの前端と第２衝立部３６ｂの前端との間において、上方に向かうほどライニング１０に向けて傾斜している。このような構成を採用することで、乳幼児が、段差に手を掛けて力を加え難くなるため、ぶら下がったり、身を乗り出したりする可能性を低減することができ、トイレユニット１の安全性をさらに向上させることができる。
【００６７】
汚物流しユニット７０を使用した際の乳幼児用いす３０への水はねの付着を効果的に抑制するためには、図７に表すように、距離Ｄ４が距離Ｄ３以上であることが望ましい。一方で、距離Ｄ４が距離Ｄ５より長くなると、汚物流しユニット７０の使用時に、衝立３６が邪魔になったり、汚物流しユニット７０の使用者が衝立３６に寄り掛かることで衝立３６が破損したりする可能性がある。このため、距離Ｄ４は、距離Ｄ３以上であり距離Ｄ５以下であることが望ましい。
【００６８】
また、より望ましくは、距離Ｄ４は、距離Ｄ３と等しい。これは、距離Ｄ３と距離Ｄ４を等しくすることで、乳幼児用いす３０への水はねの付着を抑制しつつ、乳幼児用いす３０に乳幼児を座らせる際に保護者の体や肘などが衝立３６に当たり難くなり、トイレユニットの使い勝手を向上させることができるためである。
【００６９】
着替え台３４については、乳幼児用いす３０の下方に設けられていることが望ましい。乳幼児用いす３０は、トイレ室ＴＲの床面と離間して設けられているため、この空いた空間に着替え台３４を設けることで、トイレユニット１の配設に必要なスペースの増大を抑えつつ、トイレユニット１の機能をより充実させることができる。また、着替え台３４は、ライニング１０の壁面に沿わせて収納可能であるため、着替え台３４を乳幼児用いす３０の下方に設けた場合であっても、車椅子の移動の妨げになり難い。
【００７０】
また、本実施形態に係るトイレユニット１では、車椅子の使用者が車椅子と便器１４との間を移乗する際に使用できるように、便器１４と乳幼児用いす３０との間に手すり３２が設けられている。この手すり３２は、乳幼児用いす３０と同じ高さか、それよりも下方にあることが望ましい。このような構成によれば、便器１４に座った保護者が、乳幼児用いす３０に座った乳幼児に手を伸ばした際に、手すり３２が邪魔になり難く、トイレユニット１の使い勝手をさらに向上させることができる。
【００７１】
手すり３２は、図４に表すように、第１把持部３２ａおよび第２把持部３２ｂを有し、第２把持部３２ｂは、乳幼児用いす３０の座面３０ａよりも下方にあり、かつ便器１４の座面１４ａよりも上方にあることが望ましい。
このような構成によれば、着替え台３４の足載せ部３４ｂの上に立った幼児が第２把持部３２ｂを掴み易くなり、安定して足載せ部３４ｂの上に立つことができる。そして、第１把持部３２ａが、第２把持部３２ｂの上に設けられていることで、比較的身長の高い乳幼児が、第１把持部３２ａを掴んで安定して足載せ部３４ｂの上に立つことができ、トイレユニット１の使い勝手をさらに向上させることができる。
また、このような観点から、着替え台３４の足載せ部３４ｂを開いた状態において、第１把持部３２ａは、足載せ部３４ｂの上面から５２０ｍｍ以上６３０ｍｍ以下の高さに設けられ、第２把持部３２ｂは、足載せ部３４ｂの上面から３６０ｍｍ以上４７０ｍｍ以下の高さに設けられていることが望ましい。
【００７２】
（第１変形例）
図８は、第１実施形態の第１変形例に係るトイレユニットの一部を表す側面図である。
本変形例に係るトイレユニットでは、図１〜図６に表される衝立３６に代えて、衝立３６１が設けられている。
【００７３】
図８に表すように、衝立３６１は、衝立３６と同様に、第１衝立部３６ａおよび第２衝立部３６ｂを有する。ただし、衝立３６１は、上辺が傾斜している点で、衝立３６と異なる。より具体的には、衝立３６では、第２衝立部３６ｂの上辺が略水平であるのに対して、衝立３６１では、第２衝立部３６ｂの上辺が、前方に向かうほど下方に傾斜している。
【００７４】
比較的月齢の大きい幼児が乳幼児用いす３０に座った際に、衝立の上辺の高さによっては、この上辺に手が届く可能性がある。この点について、上辺が傾斜した衝立３６１を設けることで、幼児が上辺に手を掛けて力を加え難くなる。このため、幼児が、衝立３６１に手を掛けて乳幼児用いす３０から身を乗り出す可能性を低減することができ、トイレユニット１の安全性をさらに向上させることができる。
【００７５】
（第２変形例）
図９は、第１実施形態の第２変形例に係るトイレユニットの一部を表す側面図である。
本変形例に係るトイレユニットでは、図１〜図６に表される衝立３６に代えて、衝立３６２が設けられている。
【００７６】
衝立３６および衝立３６１では、それぞれの衝立の前端において、第１衝立部３６ａと第２衝立部３６ｂとの間に段差が形成されていた。これに対して、図９に表すように、衝立３６２の前端には段差が形成されておらず、下部から上部に亘って傾斜している。より具体的には、衝立３６２の前端は、上方に向かうほど、ライニング１０に向かって傾斜している。
【００７７】
このような衝立３６２を設けることで、乳幼児が、衝立前端の段差に手を掛けることが無くなるため、トイレユニットの安全性をさらに向上させることができる。
また、衝立３６２の前端が、上方に向かうほどライニング１０に向かって傾斜していることで、保護者が乳幼児を乳幼児用いす３０に座らせる際に、肘などが衝立３６２に当たり難くなり、トイレユニットの使い勝手を向上させることができる。
加えて、衝立３６２においても、衝立３６１と同様に、上辺を傾斜させることで、トイレユニット１の安全性をさらに向上させることができる。
【００７８】
（第２実施形態）
次に、図１０および図１１を参照しつつ、第２実施形態に係るトイレユニット２について説明する。
図１０は、第２実施形態に係るトイレユニット２の一部を表す斜視図である。
図１１は、第２実施形態に係るトイレユニット２の一部を表す側面図である。
トイレユニット２は、汚物流しユニット７０に代えて幼児用小便器４０を備え、衝立３６に代えて衝立４２を備える点で、トイレユニット１と相違する。
【００７９】
幼児用小便器４０は、ボウル部が通常の小便器よりも低い位置に配された、幼児向けの小便器である。衝立４２は、この乳幼児用いす３０および着替え台３４と、幼児用小便器４０と、の間に設けられている。すなわち、この乳幼児用いす３０および着替え台３４と、幼児用小便器４０と、は衝立４２を挟んで隣り合って設けられている。
【００８０】
乳幼児用いす３０および着替え台３４と、幼児用小便器４０と、の間に衝立４２が設けられていることで、幼児用小便器４０から乳幼児用いす３０や着替え台３４への小便や水の飛び跳ねを抑制することができる。
【００８１】
また、図１１に表すように、衝立４２の下端は、幼児用小便器４０のボウル部の開口下端よりも下方に位置している。こうすることで、幼児用小便器４０から着替え台３４への小便や水の飛び跳ねを効果的に抑制することができる。
【００８２】
衝立４２の上端は、前方に向かって、下方に傾斜している。すなわち、衝立４２の上下方向における寸法は、前方に向かうほど短くなっている。衝立４２の上端が傾斜していることで、乳幼児が衝立４２に手を掛けてぶら下がることを抑制し、トイレユニットの安全性を高めることができる。
【００８３】
衝立４２の前端は、上方に向かうほど、ライニング１０に向けて傾斜している。すなわち、衝立４２の前後方向における寸法は、上方に向かうほど短くなっている。このような構成によれば、幼児が小便器を使用する際に、衝立４２が体に当たるなどの邪魔になり難くすることができる。
【００８４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、トイレユニット１およびトイレユニット２などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００８５】
１、２ トイレユニット、  １０、１２ ライニング、  １４ 便器、  １４ａ 座面、  １６ 洗浄ボタン、  １８ リモコン、  ２０ 呼び出しボタン、  ２２ 紙巻器、  ２４ ダストボックス、  ２６ 背もたれ、  ２８ 手すり、  ３０ 乳幼児用いす、  ３０ａ 座面、  ３２  手すり、  ３２ａ 第１把持部、  ３２ｂ 第２把持部、  ３２ｃ 連結部、  ３４ 着替え台、  ３４ａ 基部、  ３４ｂ 足載せ部、  ３６ 衝立、  ３６ａ 第１衝立部、  ３６ｂ 第２衝立部、  ３８ 大型ベッド、  ４０ 幼児用小便器、  ４２ 衝立、  ５０ 手洗いユニット、  ５１ 水栓、  ５２ ボウル部、  ６０ 洗面ユニット、  ６１ 水栓、  ６２ ボウル部、  ６３ 液体石鹸供給器、  ６４ 鏡、  ７０ 汚物流しユニット、  ７１ 水栓、  ７２ ボウル部、  ７３ 液体石鹸供給器、  ７４ 鏡、  ７５ レバー、  ７６ 紙巻器、  ７７ 洗浄ボタン、  ＤＲ ドア、  ＴＲ トイレ室
【図１】
2018009404.tif 000003
【図２】
2018009404.tif 000004
【図３】
2018009404.tif 000005
【図４】
2018009404.tif 000006
【図５】
2018009404.tif 000007
【図６】
2018009404.tif 000008
【図７】
2018009404.tif 000009
【図８】
2018009404.tif 000010
【図９】
2018009404.tif 000011
【図１０】
2018009404.tif 000012
【図１１】
2018009404.tif 000013